(57)【特許請求の範囲】
【請求項１】
少なくとも２フィールド以上の期間で交互にデータ信号の極性を反転させるための極性信号を生成する極性信号生成部と、
前記少なくとも２フィールド以上の期間のうちの第２フィールド期間を含む残りの期間において、各フィールド期間に対応するデータ信号の複数のレベルを減少させるように可変させるデータ可変部と、
前記各フィールド期間に相応するデータ信号の複数のレベルを可変させるための複数の可変レベルを設定する可変幅設定部と
を備え、
前記複数の可変レベルのうちの、前記少なくとも２フィールド以上の期間中の第１フィールド期間における可変幅である第１可変レベルが、ゼロ信号であり、残りの複数の可変レベルが、前記第１可変レベルと異なることを特徴とするデータ変換装置。
【請求項２】
前記複数の可変レベルの各々によって、互いに同じ階調信号を構成することを特徴とする請求項１に記載のデータ変換装置。
【請求項３】
前記複数の可変レベルの各々によって、互いに異なる階調信号を構成することを特徴とする請求項１に記載のデータ変換装置。
【請求項４】
前記残りの複数の可変レベルが、前記第１可変レベルを基準に次第に大きくなることを特徴とする請求項１に記載のデータ変換装置。
【請求項５】
前記少なくとも２フィールド以上の期間のうちの第１フィールド期間には、第１データ信号がそのまま維持され、第２フィールド期間には、第２データ信号が所定可変レベル分だけ減少することを特徴とする請求項１に記載のデータ変換装置。
【請求項６】
前記少なくとも２フィールド以上の期間のうちの第１フィールド期間には、第１データ信号がそのまま維持され、前記残りの期間には、各データ信号が所定可変レベル分だけ減少することを特徴とする請求項１に記載のデータ変換装置。
【請求項７】
前記少なくとも２フィールド以上の期間のうちの第１フィールド期間には、第１データ信号がそのまま維持され、前記残りの期間には、各データ信号が互いに異なる可変レベル分だけ異なるように減少することを特徴とする請求項１に記載のデータ変換装置。
【請求項８】
少なくとも２フィールド以上の期間で交互にデータ信号の極性を反転させるための極性信号を生成するステップと、
各フィールド期間に相応するデータ信号の複数のレベルを可変させるための複数の可変レベルを設定するステップと、
前記少なくとも２フィールド以上の期間のうちの第２フィールド期間を含む残りの期間において、各フィールド期間に対応するデータ信号の複数のレベルを減少させるように可変させるステップと
を含み、
前記複数の可変レベルのうちの、前記少なくとも２フィールド以上の期間中の第１フィールド期間における可変幅である第１可変レベルが、ゼロ信号であり、残りの複数の可変レベルが、前記第１可変レベルと異なることを特徴とするデータ変換方法。
【請求項９】
前記少なくとも２フィールド以上の期間のうちの第１フィールド期間には、第１データ信号がそのまま維持され、第２フィールド期間には、第２データ信号が所定可変レベル分だけ減少することを特徴とする請求項８に記載のデータ変換方法。
【請求項１０】
前記少なくとも２フィールド以上の期間のうちの第１フィールド期間には、第１データ信号がそのまま維持され、前記残りの期間には、各データ信号が所定可変レベル分だけ減少することを特徴とする請求項８に記載のデータ変換方法。
【請求項１１】
前記少なくとも２フィールド以上の期間のうちの第１フィールド期間には、第１データ信号がそのまま維持され、前記残りの期間には、各データ信号が互いに異なる可変レベル分だけ異なるように減少することを特徴とする請求項８に記載のデータ変換方法。
【請求項１２】
少なくとも２フィールド以上の期間で交互にデータ信号の極性を反転させるための極性信号に応じて、前記少なくとも２フィールド以上の期間のうちの第２フィールド期間を含む残りの期間において、各フィールド期間に対応するデータ信号の複数のレベルを減少させるように可変させるデータ変換部と、
複数の第１ライン及び複数の第２ラインがマトリックス形態に配列された液晶パネルと、
前記第１ラインにスキャン信号を供給するゲートドライバと、
前記第２ラインに前記互いに異なるように可変されたデータ信号に相応するアナログ電圧を供給するデータドライバと
を含み、
前記データ変換部は、
少なくとも２フィールド期間で交互にデータ信号の極性を反転させるための極性信号を生成する極性信号生成部と、
前記残りの期間において、各フィールド期間に対応するデータ信号の複数のレベルを減少させるように可変させるデータ可変部と、
前記各フィールド期間に相応するデータ信号の複数のレベルを可変させるための複数の可変レベルを設定する可変幅設定部と
を備え、
前記複数の可変レベルのうちの、前記少なくとも２フィールド以上の期間中の第１フィールド期間における可変幅である第１可変レベルが、ゼロ信号であり、残りの複数の可変レベルが、前記第１可変レベルと異なることを特徴とする液晶表示装置。
【請求項１３】
前記極性信号が、前記スキャン信号を生成するための制御信号により生成されることを特徴とする請求項１２に記載の液晶表示装置。
【請求項１４】
ｎフィールド期間で交互に極性反転させるための極性信号を生成する極性信号生成部と、
前記ｎフィールド期間のうちの第２フィールド期間を含む残りの期間において、各フィールド期間に対応するデータ信号の複数のレベルを減少させるように可変させるデータ可変部と、
前記各フィールド期間に相応するデータ信号の複数のレベルを可変させるための複数の可変レベルを設定する可変幅設定部と
を備え、
前記複数の可変レベルのうちの、前記ｎフィールド期間中の第１フィールド期間における可変幅である第１可変レベルがゼロ信号であり、残りの複数の可変レベルが前記第１可変レベルと異なることを特徴とするデータ変換装置。
【請求項１５】
前記複数の可変レベルの各々によって、互いに同じ階調信号を構成することを特徴とする請求項１４に記載のデータ変換装置。
【請求項１６】
前記複数の可変レベルの各々によって、互いに異なる階調信号を構成することを特徴とする請求項１４に記載のデータ変換装置。
【請求項１７】
前記残りの複数の可変レベルが、前記第１可変レベルを基準に次第に大きくなることを特徴とする請求項１４に記載のデータ変換装置。
【請求項１８】
前記ｎフィールド期間のうちの第１フィールド期間には、第１データ信号がそのまま維持され、第２フィールド期間には、第２データ信号が所定可変レベル分だけ減少することを特徴とする請求項１４に記載のデータ変換装置。
【請求項１９】
前記ｎフィールド期間のうちの第１フィールド期間には、第１データ信号がそのまま維持され、前記残りの期間には、各データ信号が所定可変レベル分だけ減少することを特徴とする請求項１４に記載のデータ変換装置。
【請求項２０】
前記ｎフィールド期間のうちの第１フィールド期間には、第１データ信号がそのまま維持され、前記残りの期間には、各データ信号が互いに異なる可変レベル分だけ異なるように減少することを特徴とする請求項１４に記載のデータ変換装置。
【請求項２１】
ｎフィールド期間で交互にデータ信号の極性を反転させるための極性信号を生成するステップと、
各フィールド期間に相応するデータ信号の複数のレベルを可変させるための複数の可変レベルを設定するステップと、
前記ｎフィールド期間のうちの第２フィールド期間を含む残りの期間において、各フィールド期間に対応するデータ信号の複数のレベルを減少させるように可変させるステップと
を含み、
前記複数の可変レベルのうちの、前記ｎフィールド期間中の第１フィールド期間における可変幅である第１可変レベルがゼロ信号であり、残りの複数の可変レベルが前記第１可変レベルと異なることを特徴とするデータ変換方法。
【請求項２２】
前記ｎフィールド期間のうちの第１フィールド期間には、第１データ信号がそのまま維持され、第２フィールド期間には、第２データ信号が所定可変レベル分だけ減少することを特徴とする請求項２１に記載のデータ変換方法。
【請求項２３】
前記ｎフィールド期間のうちの第１フィールド期間には、第１データ信号がそのまま維持され、前記残りの期間には、各データ信号が所定可変レベル分だけ減少することを特徴とする請求項２１に記載のデータ変換方法。
【請求項２４】
前記ｎフィールド期間のうちの第１フィールド期間には、第１データ信号がそのまま維持され、前記残りの期間には、各データ信号が互いに異なる可変レベル分だけ異なるように減少することを特徴とする請求項２１に記載のデータ変換方法。
【発明の詳細な説明】
【技術分野】
【０００１】
本発明は、データ変換に関し、特に画質を向上させることができるデータ変換装置、その方法及びこれを備えた液晶表示装置に関する。
【背景技術】
【０００２】
陰極線管（ＣＲＴ：Ｃａｔｈｏｄｅ  Ｒａｙ  Ｔｕｂｅ）は、重くて体積が大きいという短所がある。このような陰極線管の短所を克服するための平板表示装置（ｆｌａｔ  ｐａｎｅｌ  ｄｉｓｐｌａｙ  ｄｅｖｉｃｅ）が盛んに開発されつつある。前記平板表示装置は、液晶表示装置（Ｌｉｑｕｉｄ  Ｃｒｙｓｔａｌ  Ｄｉｓｐｌａｙ：ＬＣＤ  ｄｅｖｉｃｅ）、電界放出表示装置（Ｆｉｅｌｄ  Ｅｍｉｓｓｉｏｎ  Ｄｉｓｐｌａｙ：ＦＥＤ  ｄｅｖｉｃｅ）、プラズマディスプレイパネル（ＰＤＰ）及びエレクトロルミネセンス（ＥＬ）表示装置を含む。前記平板表示装置は、外部から受信された映像信号、例えばＴＶ映像信号を表示する。このような映像信号を表示するために、平板表示装置は、前記映像信号を表示するパネルと前記パネルを駆動するための駆動部とを備える。
【０００３】
前記映像信号は、その表示方式に応じて、プログレッシブ方式とインターレース方式に大別される。
プログレッシブ方式は、１画面の映像信号、すなわち１フレーム単位で表示される。このようなプログレッシブ方式の代表的な平板表示装置には、コンピュータ用モニタ、ＰＤＰ及び液晶表示装置などがある。したがって、液晶表示装置は、映像信号をフレーム単位で表示する。
インターレース方式は、１画面の映像信号、すなわち１フレームを奇数水平ラインを表示する奇数フィールドと偶数水平ラインを表示する偶数フィールドに分ける。これにより、前記奇数フィールドと前記偶数フィールドの順に供給されて、１フレームが表示される。このようなインターレース方式の代表的な表示装置には、テレビ受像機がある。テレビ受像機は、インターレース方式のＴＶ用映像信号を放送局から受信して、このようなＴＶ用映像信号をインターレース方式でそのまま表示する。
【０００４】
放送局では、インターレース方式のＴＶ用映像信号を送信する。したがって、液晶表示装置がテレビ受像機に適用される場合、液晶表示装置は、プログレッシブ方式で所定の映像を処理するため、このようなＴＶ用映像信号は、液晶表示装置にそのまま表示されることができない。
【０００５】
前記液晶表示装置は、画像を表示する複数のピクセルがマトリックス形態に配列された液晶パネルと、該液晶パネルを駆動する駆動部とを備える。
前記液晶パネルは、複数の水平ラインと複数の垂直ラインを含む。前記水平ラインと垂直ラインにより、前記ピクセルが画定される。前記ピクセルに画素電極が形成される。また、前記ピクセルに対応する領域に赤色（Ｒ）、緑色（Ｇ）及び青色（Ｂ）カラーフィルタが形成される。
前記駆動部は、スキャン信号を前記水平ラインに順次供給するゲートドライバと、所定の映像信号を前記垂直ラインに供給するデータドライバと、前記ゲートドライバ及び前記データドライバを制御するための制御信号を生成するタイミングコントローラとを備える。
【０００６】
前記ゲートドライバから供給されたスキャン信号により、前記水平ラインが順次駆動され、前記データドライバから供給された映像信号が前記垂直ラインを経由して前記ピクセルに印加されて、前記カラーフィルタを介して所定の映像が表示される。すなわち、１フレームの映像信号は、順次駆動された前記水平ラインに応答して表示される。
【０００７】
したがって、前記水平ラインが順次駆動される液晶表示装置には、プログレッシブ方式が適している。換言すれば、前記液晶表示装置は、奇数水平ラインと偶数水平ラインに関わらず、水平ラインが順次駆動されるため、プログレッシブ方式が適している。
【０００８】
したがって、前記液晶表示装置をテレビ受像機として使用する場合には、放送局からインターレース方式の映像信号が提供されるため、このようなインターレース方式の映像信号をプログレッシブ方式の液晶表示装置に表示することが容易にならない。
【０００９】
このような問題を解決するために、インターレース方式の映像信号をプログレッシブ方式の映像信号に変換せずに、そのまま液晶表示装置に表示する方法が提案された。
【００１０】
これを詳細に説明すれば、奇数フィールドと偶数フィールドで繰り返されるインターレース方式の映像信号が液晶表示装置に供給される。前記奇数フィールドには、奇数水平ライン上のみに実際の画素データが存在し、偶数水平ライン上には、実際の画素データが存在しない。これに対し、前記偶数フィールドには、奇数水平ライン上には実際の画素データが存在せず、偶数水平ライン上にのみに実際の画素データが存在する。したがって、前記奇数フィールドと前記偶数フィールドを含んで完全な１フレームが構成される。
【００１１】
前記液晶表示装置は、奇数フィールドが供給される場合には、隣接する奇数水平ライン上に存在する実際の画素データを利用して、偶数水平ライン上のダミー画素データを生成する。これにより、前記奇数フィールドの奇数水平ライン上に実際の画素データが存在し、偶数水平ライン上にもダミー画素データが存在するため、前記奇数フィールド自体が完全な１フレームで構成されることができる。また、偶数フィールドが供給される場合には、隣接する偶数水平ライン上に存在する実際の画素データを利用して、奇数水平ライン上のダミー画素データを生成する。これにより、前記偶数フィールドの奇数水平ラインにダミー画素データが存在し、前記偶数水平ライン上に実際の画素データが存在するため、前記偶数フィールドが完全な１フレームで構成されることができる。前記ダミー画素データを生成する方法は、様々な方法があり得る。前記ダミー画素データは、前記実際の画素データより少なくとも小さい。したがって、奇数フィールドと偶数フィールドは、それぞれ１フレームと見なされることができる。以下では、奇数フィールドと偶数フィールドそれぞれをフレームと同様に取扱う。
【００１２】
前記液晶表示装置は、第１フレームの間に各水平ラインを順次駆動させて、奇数フィールドの画素データを表示し、第２フレームの間に各水平ラインを順次駆動させて、偶数フィールドの画素データを表示する。したがって、前記液晶表示装置は、奇数フィールド及び偶数フィールドを含むインターレース方式の映像信号をそのまま表示することができる。
【００１３】
図１Ａは、インターレース方式で供給された奇数フィールドの画素データを液晶パネルに表示した画面であり、図１Ｂは、インターレース方式で供給された偶数フィールドの画素データを液晶パネルに表示した画面である。
【００１４】
図１Ａに示すように、奇数フィールドの場合には、奇数水平ライン上に実際の画素データが表示され、偶数水平ライン上にダミー画素データが表示されることができる。
図１Ｂに示すように、偶数フィールドの場合には、奇数水平ライン上にダミー画素データが表示され、偶数水平ライン上に実際の画素データが表示されることができる。
前記ダミー画素データは、上述したように、隣接する水平ライン上の実際の画素データを利用して生成されることができる。
【００１５】
図２に示すように、インターレース方式の映像信号は、表示品質を向上させるために、フィールド単位でインバージョンされる（ｉｎｖｅｒｔｅｄ）と同時に、ドットインバージョンされる。
【００１６】
詳細に説明すれば、インターレース方式の映像信号は、奇数フィールド期間と偶数フィールド期間の繰り返しにより奇数フィールドと偶数フィールドが表示される。奇数フィールド期間と偶数フィールド期間それぞれは、１フレーム期間に該当することに注目しなければならない。
【００１７】
図３に示すように、第１奇数フィールドＯＦ期間には、奇数水平ライン上の所定ピクセルに共通電圧Ｖｃｏｍを基準に正極性（＋）の実際の画素データが充電され、第１偶数フィールドＥＦ期間には、前記ピクセルに負極性（−）のダミー画素データが充電される。次に、第２奇数フィールドＯＦ期間に正極性（＋）の実際の画素データが充電され、第２偶数フィールドＥＦ期間に負極性（−）のダミー画素データが充電される。このような方式により、フィールド単位で実際の画素データとダミー画素データが交互に充電されるようになる。上述したように、ダミー画素データは、隣接する水平ライン間の実際の画素データを利用して算出されるため、前記実際の画素データの絶対値は、前記ダミー画素データの絶対値よりはるかに大きい値を有する。これにより、前記奇数水平ライン上のピクセル及び前記偶数水平ライン上のピクセルに充電された電圧は、前記奇数フィールド期間と前記偶数フィールド期間とが繰り返されるほど、共通電圧Ｖｃｏｍを基準に正極性（＋）を有する平均電圧（ＤＣ電圧）を有する。したがって、正極性（＋）を有するＤＣ電圧がピクセルに誘起されて残像が酷く発生するという問題がある。
【００１８】
このような問題を解決するために、図４に示すように、２フィールド（奇数フィールド及び偶数フィールド）単位で画素データの極性が反転される。
【００１９】
詳細に説明すれば、図５に示すように、第１奇数フィールド期間には、奇数水平ライン上の所定ピクセルに共通電圧Ｖｃｏｍを基準に正極性（＋）の実際の画素データが充電され、第１偶数フィールド期間には、前記ピクセルに正極性（＋）のダミー画素データが充電され、第２奇数フィールド期間には、前記ピクセルに負極性（−）の実際の画素データが充電され、第２偶数フィールド期間には、前記ピクセルに負極性（−）のダミー画素データが充電される。このような方式により、２フィールド単位で画素データの極性が反転される。
【００２０】
このような場合、前記第１奇数フィールド期間に充電された正極性（＋）の実際の画素データ及び前記第１偶数フィールド期間に充電された正極性（＋）のダミー画素データと、前記第２奇数フィールド期間に充電された負極性（−）の実際の画素データ及び前記第２偶数フィールド期間に充電された負極性（−）のダミー画素データとは、共通電圧Ｖｃｏｍを基準に対称するため、これらのデータは互いに相殺されて、ゼロの平均値（ＤＣ電圧）となる。したがって、前記ピクセルにＤＣ電圧が誘起されなくなって残像が発生しない。
【発明の開示】
【発明が解決しようとする課題】
【００２１】
しかしながら、２フィールド単位で画素データの極性を反転させて残像を防止しても、フリッカーは持続的に発生し得る。すなわち、図６に示すように、第１奇数フィールド期間には、水平ライン上の所定ピクセルに正極性（＋）の実際の画素データが充電される。次いに、第１偶数フィールド期間には、前記ピクセルに正極性（＋）のダミー画素データが充電される。このような場合、第１奇数フィールド期間及び第１偶数フィールド期間において全て同じ極性（＋）を有するため、第１奇数フィールド期間に充電された実際の画素データが全て放電されず、一部のＤＣ電圧が残存するようになる。したがって、第１奇数フィールド期間に残存するＤＣ電圧が前記第１偶数フィールド期間の前記ダミー画素データと加算されて、前記第１偶数フィールド期間において前記ダミー画素データより大きいダミー画素データが充電されるようになる。このような過程は、毎偶数フィールド期間ごとに繰り返し的に発生する。したがって、偶数フィールド期間には、奇数フィールド期間に残存するＤＣ電圧の影響により、所望の映像が表示されなくなることで、フリッカーが発生する。特に、このようなフリッカーは、各フィールド単位で同一輝度の画素データが表示される場合にさらに激しい。例えば、第１奇数フィールドと第１偶数フィールドが同じホワイトである場合、前記第１奇数フィールドの水平ライン上に存在するＤＣ電圧により、前記第１偶数フィールドの画素データの値が増加するようになるため、前記第１奇数フィールドと前記第１偶数フィールドで同じホワイトが具現されなくなるだけでなく、フリッカーも酷く発生する。
【００２２】
本発明は、上述の問題点に鑑みてなされたもので、その目的は、インターレース方式で駆動するデータ変換装置、その方法及びこれを備えた液晶表示装置を提供することにある。
本発明の他の目的は、残像及びフリッカーを防止することができるデータ変換装置、その方法及びこれを備えた液晶表示装置を提供することにある。
【課題を解決するための手段】
【００２３】
上記の目的を達成すべく、本発明の第１の実施の形態によれば、データ変換装置は、少なくとも２フィールド以上の期間で交互にデータ信号の極性を反転させるための極性信号を生成する極性信号生成部と、前記少なくとも２フィールド以上の期間内の各フィールド期間に対応するデータ信号を互いに異なるように可変させるデータ可変部とを備える。
【００２４】
また、上記の目的を達成すべく、本発明の第２の実施の形態によれば、データ変換方法は、少なくとも２フィールド以上の期間で交互にデータ信号の極性を反転させるための極性信号を生成するステップと、前記少なくとも２フィールド以上の期間内の各フィールド期間に対応するデータ信号を互いに異なるように可変させるステップとを含む。
【００２５】
また、上記の目的を達成すべく、本発明の第３実施の形態によれば、液晶表示装置は、少なくとも２フィールド以上の期間で交互にデータ信号の極性を反転させるための極性信号に応じて、前記少なくとも２フィールド以上の期間内の各フィールド期間に対応するデータ信号を互いに異なるように可変させるデータ変換部と、複数の第１ライン及び複数の第２ラインがマトリックス形態に配列された液晶パネルと、前記第１ラインにスキャン信号を供給するゲートドライバと、前記第２ラインに前記互いに異なるように可変されたデータ信号に相応するアナログ電圧を供給するデータドライバとを含む。
【００２６】
また、上記の目的を達成すべく、本発明の第４実施の形態によれば、データ変換装置は、ｎフィールド期間で交互にデータ信号の極性を反転させるための極性信号を生成する極性信号生成部と、前記ｎフィールド期間内の各フィールド期間に対応するデータ信号を互いに異なるように可変させるデータ可変部とを備える。
【００２７】
また、上記の目的を達成すべく、本発明の第５実施の形態によれば、データ変換方法は、ｎフィールド期間で交互にデータ信号の極性を反転させるための極性信号を生成するステップと、前記ｎフィールド期間内の各フィールド期間に対応するデータ信号を互いに異なるように可変させるステップとを含む。
【００２８】
また、上記の目的を達成すべく、本発明の第６実施の形態によれば、液晶表示装置は、ｎフィールド期間で交互にデータ信号の極性を反転させるための極性信号に応じて、前記ｎフィールド期間の各フィールド期間に対応するデータ信号を互いに異なるように可変させるデータ変換部と、複数の第１ライン及び複数の第２ラインがマトリックス形態に配列された液晶パネルと、前記第１ラインにスキャン信号を供給するゲートドライバと、前記第２ラインに前記互いに異なるように可変されたデータ信号に相応するアナログ電圧を供給するデータドライバとを備える。
【００２９】
また、上記の目的を達成すべく、本発明の第７実施の形態によれば、データ変換装置は、２フィールド期間で交互にデータ信号の極性を反転させるための極性信号を生成する極性信号生成部と、前記２フィールド期間内の第１及び第２フィールド期間に対応する各データ信号を互いに異なるように可変させるデータ可変部とを備える。
【００３０】
また、上記の目的を達成すべく、本発明の第８実施の形態によれば、データ変換方法は、２フィールド期間で交互にデータ信号の極性を反転させるための極性信号を生成するステップと、前記２フィールド期間内の各フィールド期間に対応するデータ信号を互いに異なるように可変させるステップとを含む。
【００３１】
上記の目的を達成すべく、本発明の第９実施の形態によれば、液晶表示装置は、２フィールド期間で交互にデータ信号の極性を反転させるための極性信号に応じて、前記２フィールド期間の第１及び第２フィールド期間に対応する各データ信号を互いに異なるように可変させるデータ変換部と、複数の第１ライン及び複数の第２ラインがマトリックス形態に配列された液晶パネルと、前記第１ラインにスキャン信号を供給するゲートドライバと、前記第２ラインに前記互いに異なるように可変したデータ信号に相応するアナログ電圧を供給するデータドライバとを含む。
【発明の効果】
【００３２】
本発明は、インターレース方式のデータ信号をそのまま液晶表示装置に適用できる。
【００３３】
本発明は、同一極性を有する少なくとも２フィールド以上で第１フィールド期間には、データ信号をそのまま維持又は増加させ、第２フィールド期間以上（第２、第３、第４フィールド期間等）では、データ信号を減少させることによって、前のフィールドにより誘起される残留ＤＣ電圧を考慮することができるため、第２フィールド期間以上でフリッカーが発生するのを基本的に防止して、画質を向上させることができる。
【００３４】
本発明は、同一極性を有する少なくとも２フィールド以上単位で極性反転されることによって、正極性の実際の画素データとダミー画素データ、そして負極性の実際の画素データとダミー画素データが互いに相殺されて、全体的な残留ＤＣ電圧がゼロとなるため、残像が発生しなくなる。
【発明を実施するための最良の形態】
【００３５】
以下、本発明の好ましい実施の形態を、添付図面に基づき詳細に説明する。
【００３６】
図７は、本発明に係る液晶表示装置の構成を示すブロック図であり、図８は、図７のデータ変換部を詳細に示す図であり、図９は、図８の極性信号生成部に対する論理回路図を示す図である。
図７において、本発明の液晶表示装置は、制御部１、ゲートドライバ３、データドライバ４、ガンマ電圧生成部７及び液晶パネル５を備える。
前記制御部１は、制御信号生成部９及びデータ変換部１０を備える。
【００３７】
外部のグラフィックカード（図示せず）から奇数フィールド及び偶数フィールドを含むインターレース方式の映像信号（以下、データ信号という）が前記制御部１に供給される。前記奇数フィールドには、奇数水平ライン上のみに実際の画素データが存在し、隣接する偶数水平ライン上には、いかなる画素データも存在しなくなる。前記偶数フィールドには、偶数水平ライン上のみに実際の画素データが存在し、隣接する奇数水平ライン上には、いかなる画素データも存在しなくなる。このような場合、前記奇数フィールドの前記偶数水平ラインと前記偶数フィールドの奇数水平ライン上にいかなる画素データも存在しないため、これをそのまま前記液晶パネル５に供給する場合、各フィールドにおいて画素データが存在しない水平ライン上には、いかなる画像も表示されなくなって、完全な画像を得ることはできなくなる。
【００３８】
これにより、前記制御部１は、奇数フィールドの奇数水平ライン上の実際の画素データを利用して、偶数水平ライン上のダミー画素データを生成する。前記制御部は、偶数フィールドの偶数水平ライン上の実際の画素データを利用して、奇数水平ライン上のダミー画素データを生成する。
一例として、ダミー画素データは、隣接する実際の画素データの平均値で生成されることができる。
【００３９】
これにより、前記各フィールドには、奇数水平ラインと偶数水平ライン全てに画素データが存在するため、各フィールドが１フレームを構成するようになる。したがって、各フィールドの各水平ライン上の実際の画素データとダミー画素データが順次に前記液晶パネル５に表示されるようになる。結局、本発明では、各フィールドが１フレームに対応する。
【００４０】
前記制御部１は、図示していないが、各フィールドのダミー画素データを生成するための手段又はユニットをさらに備える。
【００４１】
説明の便宜上、以下の本発明では、奇数フィールドの奇数水平ライン上の実際の画素データと、偶数フィールドの偶数水平ライン上の実際の画素データとは、全て同じ階調を有すると仮定する。このような場合、奇数フィールドの奇数水平ライン上の実際の画素データから生成された偶数水平ライン上のダミー画素データは、前記奇数水平ライン上の実際の画素データと同じ値を有する。同様に、偶数フィールドの偶数水平ライン上の実際の画素データから生成された奇数水平ライン上のダミー画素データは、前記偶数水平ライン上の実際の画素データと同じ値を有する。結局、奇数フィールド内の各ラインの画素データと、偶数フィールド内の各ラインの画素データの全てが同じ値を有する。
【００４２】
前記制御信号生成部９は、前記ゲートドライバ３を駆動するための第１制御信号及び前記データドライバ４を駆動するための第２制御信号を生成する。前記第１制御信号は、ＧＳＰ、ＧＳＣ、ＧＯＥなどを含み、前記第２制御信号は、ＳＳＰ、ＳＳＣ、ＳＯＥなどを含む。
【００４３】
前記第１制御信号のうちのＧＳＰ信号が、前記データ変換部１０に供給される。前記ＧＳＰ信号は、フレーム当たり一回ずつ生成され、１フレームの開始を知らせる信号である。本発明では、各フィールドが１フレームに対応するため、毎フィールドごとに前記ＧＳＰ信号が生成されて、前記データ変換部１０に供給される。
【００４４】
前記データ変換部１０は、図８に示すように、極性信号生成部１４、可変幅設定部１６及びデータ可変部１２を備える。
【００４５】
前記極性信号生成部１４は、図９に示すように、第１Ｄフリップフロップ２１及び前記第１Ｄフリップフロップ２１に接続した第２Ｄフリップフロップ２３を備える。
【００４６】
前記第１Ｄフリップフロップ２１は、ＧＳＰ信号に応答して第１入力端Ｄ１の値を第１非反転端子Ｑ１を介して第２Ｄフリップフロップ２３に出力する。上述したように、前記ＧＳＰ信号は、前記制御信号生成部９においてフィールド（偶数フィールド又は奇数フィールド）単位で繰り返し生成されることができる。前記第２Ｄフリップフロップ２３は、前記第１Ｄフリップフロップ２１の第１非反転端子Ｑ１を介して出力された値に応答して、第２入力端Ｄ２の値を第２非反転端子Ｑ２を介して出力する。前記第１及び第２非反転端子Ｑ１、Ｑ２を介してハイレベルが出力される場合、第１及び第２反転端子Ｑ１´、Ｑ２´を介してローレベルが出力される。したがって、前記第１非反転端子Ｑ１と第１反転端子Ｑ１´、そして第２非反転端子Ｑ２と第２反転端子Ｑ２´は、互いに位相反転した値が出力されることができる。
【００４７】
これを図１０を参照して詳細に説明すれば、まず第１フィールド期間１Ｆ（第１奇数フィールド期間）の間に、前記第１Ｄフリップフロップ２１にハイレベルの第１ＧＳＰ信号が入力される。第１Ｄフリップフロップ２１は、ハイレベルの第１ＧＳＰ信号に応答して、第１反転端子Ｑ１´の電圧が第１非反転端子Ｑ１に出力される。本発明では、第１非反転端子Ｑ１にハイレベルが出力されると仮定する。このような場合、第１反転端子Ｑ１´は、ローレベルが維持される。第２Ｄフリップフロップ２１は、第１Ｄフリップフロップ２１の第１非反転端子Ｑ１がハイレベルに応答して、第２非反転端子Ｑ２´の電圧が第２反転端子Ｑ２に出力される。本発明では、第２非反転端子Ｑ２にハイレベルが出力されると仮定する。このような場合、第２反転端子Ｑ２´は、ローレベルが維持される。
【００４８】
第２フィールド期間２Ｆ（第１偶数フィールド期間）の間に、前記第１Ｄフリップフロップ２１にハイレベルの第２ＧＳＰ信号が入力される。第２ＧＳＰに応答して、前記第１Ｄフリップフロップ２１の第１非反転端子Ｑ１は、第１反転端子Ｑ１´の電圧が出力される。第１反転端子Ｑ１´がローレベルに維持されているため、第１非反転端子Ｑ１は、ローレベルが出力される。このような場合、第１反転端子Ｑ１´は、ハイレベルが維持される。第１Ｄフリップフロップ２１の第１非反転端子Ｑ１から出力されたローレベルが第２Ｄフリップフロップ２２に入力される。このような場合、第２Ｄフリップフロップ２２は、以前のレベルをそのまま維持する。これにより、第２Ｄフリップフロップ２２の第２非反転端子Ｑ２は、ハイレベルが維持され、第２反転端子Ｑ２´は、ローレベルが維持される。
【００４９】
第３フィールド期間３Ｆ（第２奇数フィールド期間）の間に、前記第１Ｄフリップフロップ２１にハイレベルの第３ＧＳＰ信号が入力される。第３ＧＳＰ信号に応答して、前記第１Ｄフリップフロップ２１の第１非反転端子Ｑ１は、第１反転端子Ｑ１´の電圧が出力される。前記第１反転端子Ｑ１´は、ハイレベルに維持されているため、前記第１非反転端子Ｑ１は、ハイレベルが出力される。第１Ｄフリップフロップ２１の第１非反転端子Ｑ１から出力されたハイレベルが第２Ｄフリップフロップ２２に入力される。このような場合、第２Ｄフリップフロップ２２の第２非反転端子Ｑ２は、第２反転端子Ｑ２´の電圧が出力される。第２反転端子Ｑ２´は、ローレベルに維持されているため、第２非反転端子Ｑ２は、ローレベルが出力される。このような場合、第２反転端子Ｑ２´は、ハイレベルが維持される。
【００５０】
第４フィールド期間４Ｆ（第２偶数フィールド期間）の間に、前記第１Ｄフリップフロップ２１にハイレベルの第４ＧＳＰ信号が入力される。第４ＧＳＰ信号に応答して、前記第２Ｄフリップフロップ２１の第１非反転端子Ｑ１は、第１反転端子Ｑ１´の電圧が出力される。前記第１反転端子Ｑ１´は、ローレベルに維持されているため、第１非反転端子Ｑ１は、ローレベルが出力される。第１Ｄフリップフロップ２１の第１非反転端子Ｑ１から出力されたローレベルが第２Ｄフリップフロップ２２に入力される。このような場合、第２Ｄフリップフロップ２２は、以前レベルをそのまま維持する。これにより、第２Ｄフリップフロップ２２の第２非反転端子Ｑ２は、ローレベルが維持され、第２反転端子Ｑ２´は、ハイレベルが維持される。
【００５１】
これから、前記極性信号生成部１４は、２フィールド期間（例えば、第１奇数フィールド期間と第１偶数フィールド期間）単位でハイレベルとローレベルに交互に繰り返し的に生成することができる。換言すれば、前記極性信号生成部１４は、２フィールド単位で２極性信号を生成する。
【００５２】
したがって、前記極性信号生成部１４は、２フィールド単位で極性を反転させた２極性信号を生成して、前記データドライバ４と前記データ可変部１２に供給する。
【００５３】
結局、前記極性信号生成部１４は、前記ＧＳＰ信号を利用して、２フィールド単位でハイレベルとローレベルを有する２極性信号を生成する。例えば、最小の２フィールド期間（すなわち、第１奇数フィールド期間と第１偶数フィールド期間）の間には、ハイレベルの２極性信号が生成され、次の２フィールド期間（すなわち、第２奇数フィールド期間と第２偶数フィールド期間）の間には、ローレベルの２極性信号が生成されることができる。以後にも、２フィールド単位でハイレベルとローレベルが交互に繰り返し的に生成されるようになる。したがって、２フィールド期間内の各フィールドでは、同一レベルを有するようになる。
【００５４】
本発明では、説明の便宜上、２極性信号に限定して説明するが、前記極性信号生成部１４は、これを拡大してｎ極性信号を生成することもできる。このような場合には、ｎフィールド単位でハイレベルとローレベルが交互に繰り返し生成されることができる。
【００５５】
このように生成された２極性信号は、前記データドライバ４に供給されて、データ信号を２フィールド単位で極性反転させて前記液晶パネル５に表示することができる。このような場合、図６に示すように、最初の２フィールド期間の間の正極性（＋）の実際の画素データと正極性（＋）のダミー画素データが次の２フィールド期間の間の負極性（−）の実際の画素データと負極性（−）のダミー画素データと相殺され、以後にも２フィールド単位でデータが相殺される。したがって、これらのデータの平均値（ＤＣ電圧）は、略ゼロとなるため、残像が発生されなくなる。
【００５６】
しかしながら、２フィールド単位で同一極性のデータを有するようになるため、２フィールド単位で奇数フィールドの実際の画素データが偶数フィールド期間の間に同じ極性を有するダミー画素データが供給されることにより、偶数フィールド期間の間に十分に放電されずに残留するようになり、このように残留されたＤＣ電圧が供給されたダミー画素データと加算されて、前記ダミー画素データよりＤＣ電圧分だけより大きい階調を表示するようになる。これにより、２フィールド単位の偶数フィールド期間には、フリッカーが発生するようになる。
よって、本発明は、これを解消するために、可変幅設定部１６とデータ可変部１２をさらに備える。
【００５７】
前記可変幅設定部１６は、前記グラフィックカードから供給されたデータ信号をどれぐらい可変するかに対する可変幅を設定する。これは、外部のオペレータにより変更され得る。
【００５８】
前記可変幅は、２フィールド単位のうち、奇数フィールド期間にデータ信号を可変するための第１可変幅（α）と、偶数フィールド期間にデータ信号を可変するための第２可変幅（β）とを含む。
【００５９】
各フィールドに相応するデータ信号は、奇数水平ライン上の実際の画素データと偶数水平ライン上のダミー画素データを含むか、又は、偶数水平ライン上の実際の画素データと奇数水平ライン上のダミー画素データを含むことができる。
【００６０】
本発明では、奇数フィールドの実際の画素データと偶数フィールドの実際の画素データが全て同じ階調を有すると仮定した。これにより、奇数フィールドの奇数水平ライン上の実際の画素データ、奇数水平ライン上のダミー画素データ、偶数水平ライン上のダミー画素データ、偶数フィールドの偶数水平ライン上の実際の画素データが全て同じ階調を有するようになる。
【００６１】
例えば、上記に言及された全ての画素データが８ビットからなる６８階調（０１０００１００）を有すると仮定する。
【００６２】
したがって、前記第１及び第２可変幅（α、β）により、奇数フィールドの実際の画素データとダミー画素データは、全て前記第１可変幅（α）分だけ可変され、偶数フィールドの実際の画素データとダミー画素データは、全て前記第２可変幅（β）分だけ可変され得る。
【００６３】
上述したように、前記極性信号生成部１４から生成された２極性信号は、前記データドライバ４だけでなくデータ可変部１２にも供給される。
前記データ可変部１２は、前記極性信号生成部１４から供給された２極性信号に応じて、各フィールドのデータ信号を可変させる。
【００６４】
本発明では、２極性信号を利用することによって、２フィールド単位で極性が反転される。すなわち、第１奇数フィールド期間と第１偶数フィールド期間には、正極性（＋）のデータを有し、第２奇数フィールド期間と第２偶数フィールド期間には、負極性（−）のデータを有する。同様に、第３奇数フィールド期間と第３偶数フィールド期間には、再度正極性（＋）のデータを有し、第４奇数フィールド期間と第４偶数フィールド期間には、負極性（−）のデータを有する。この以後にも、上述したものと同じ方法により、データの極性が反転される。
【００６５】
もちろん、ｎ極性信号を利用する場合には、ｎフィールド単位で極性が反転され得る。このような場合、最初のｎフィールド期間内の全てのフィールド期間では、正極性（＋）のデータを有し、２番目のｎフィールド内の全てのフィールド期間では、負極性（−）のデータを有する。
【００６６】
前記データ可変部１２は、前記極性信号生成部１４から供給された２極性信号に応じて、奇数フィールド期間には、奇数フィールドのデータ信号を第１可変幅（α）分だけ可変させ、偶数フィールド期間には、偶数フィールドのデータ信号を第２可変幅（β）分だけ可変させる。
【００６７】
このとき、注意する点は、２極性信号である場合、正極性（＋）又は負極性（−）に関係なく、奇数フィールド期間には、奇数フィールドのデータ信号が第１可変幅（α）分だけ可変し、偶数フィールド期間には、偶数フィールドのデータ信号が第２可変幅（β）分だけ可変するということである。
【００６８】
万一、３極性信号が用いられる場合には、上記とは異なって可変し得る。３極性信号である場合には、３フィールド単位で極性が反転されるから、３個のフィールドそれぞれに対して可変させなければならないため、３個の可変幅（例えば、第１、第２及び第３可変幅（α、β、γ））が設定されなければならない。したがって、第１〜第３フィールド期間それぞれに対して、データ信号が第１、第２及び第３可変幅（α、β、γ）に可変し得る。
【００６９】
また、２極性信号である場合に限定して説明すると、第１及び第２可変幅（α、β）は、互いに同一又は異なることもできる。
例えば、第１可変幅（α）は、０階調（００００００００）であり、第２可変幅（β）は、４階調（０００００１００）であり得る。又は第１及び第２可変幅（α、β）が全て４階調（０００００１００）であり得る。
【００７０】
ここで、最も重要な本発明の特徴は、同一極性を有する２フィールド期間のうち、偶数フィールド期間には、第２可変幅（β）分だけ偶数フィールドのデータ信号が減少するという点である。このような場合、奇数フィールド期間には、第１可変幅（α）がどのように設定されるかによって奇数フィールドのデータ信号がそのまま維持されることもでき（第１可変幅（α）が０階調である場合）、又は第１可変幅（α＝４階調）分だけ増加されることもできる。
【００７１】
したがって、データ信号が６８階調である場合、偶数フィールド期間では、第２可変幅（β＝４階調）分だけ減少して、６４階調のデータ信号に減少する。また、奇数フィールド期間の場合には、第１可変幅（α）が０階調である場合、６８階調のデータ信号は可変せずそのまま維持され、第１可変幅（α）が第２可変幅（β）と同じ４階調である場合、６８階調のデータ信号は、７２階調のデータ信号に増加され得る。
【００７２】
一方、３極性信号以上である場合、第１フィールド期間の場合のみ、データ信号がそのまま維持又は増加され、残りのフィールド期間の各フィールドに対応したデータ信号は、決められた可変幅分だけ減少され得る。このとき、各フィールドに対応したデータ信号の減少幅は、互いに同一又は時間的にさらに大きい可変幅で減少し得る。
【００７３】
前記ゲートドライバ３は、前記制御信号生成部９から出力された前記第１制御信号に応答して、スキャン信号を順次に前記液晶パネル５に供給する。前記スキャン信号は、前記液晶パネル５に備えられた水平ラインの数分だけ生成されることができる。前記液晶パネル５に備えられた水平ラインの数分だけ生成されたスキャン信号は、全て各フィールド期間内に生成されて前記液晶パネル５に供給されなければならない。したがって、毎フィールド期間ごとに前記液晶パネル５の各水平ラインは、１回ずつアクティブになる。
【００７４】
前記データドライバ４は、前記データ可変部１２から出力された可変データ信号を前記極性信号生成部１４から出力された２極性信号に応じて２フィールド単位で極性反転させて出力する。すなわち、２フィールド単位で正極性（＋）を有するアナログ電圧と負極性（−）を有するアナログ電圧が出力される。
【００７５】
前記データドライバ４は、前記可変データ信号を前記２極性信号に応じて前記ガンマ電圧生成部７から供給されたガンマ電圧を反映して、該当するアナログ電圧で出力する。
【００７６】
例えば、ガンマ電圧生成部７において正極性（＋）のガンマ電圧は、４Ｖから８Ｖの範囲を有し、負極性（−）のガンマ電圧は、０Ｖから４Ｖの範囲を有する場合、正極性（＋）のデータ信号に対しては、正極性（＋）のガンマ電圧を利用してアナログ電圧が生成され、負極性（−）のデータ信号に対しては、負極性（−）のガンマ電圧を利用して、アナログ電圧が生成されることができる。このような場合、４Ｖのガンマ電圧がブラックを表す０階調を意味し、８Ｖのガンマ電圧が正極性（＋）のホワイトを表す２５６階調を意味し、０Ｖのガンマ電圧が負極性（−）のようホワイトを表す２５６階調を意味する。したがって、ガンマ電圧は、４Ｖを基準に正極性（＋）又は負極性（−）に応じて対称する。正極性（＋）の６８階調が４．７Ｖである場合、負極性（−）の６８階調は、３．３Ｖである。
【００７７】
本発明において、前記データ可変部１２により６８階調のデータ信号が、奇数フィールド期間には６８階調にそのまま維持され（第１可変幅（α）が０階調である場合）、偶数フィールド期間には、６４階調に減少する（第２可変幅（β）が４階調である場合）。すなわち、６８階調のデータ信号が奇数フィールド期間と偶数フィールド期間に応じて異なるように可変される。
【００７８】
このような場合、前記データドライバ４は、図１１に示すように、２極性信号に応じて第１奇数フィールド期間の６８階調のデータ信号を正極性（＋）を有する４．７Ｖのアナログ電圧で出力し、第１偶数フィールド期間の６４階調のデータ信号を正極性（＋）を有する４．６Ｖのアナログ電圧で出力し、第２奇数フィールド期間の６８階調のデータ信号を負極性（−）を有する３．３Ｖのアナログ電圧で出力し、第２偶数フィールド期間の６４階調のデータ信号を負極性（−）を有する３．４Ｖのアナログ電圧で出力する。
【００７９】
このように駆動することによって、同じ極性を有する第１奇数フィールド期間と第１偶数フィールド期間において、前記第１奇数フィールド期間の間に十分に放電されないアナログ電圧（４．７Ｖ）の残留ＤＣ電圧により、前記第１偶数フィールド期間に減少したアナログ電圧（４．７）に残留ＤＣ電圧（略０．１Ｖ）が加算されて、結局、本来のアナログ電圧（４．７）になるため、第１奇数フィールド期間と第１偶数フィールド期間において同じ階調を得ることができる。これは、本来得ようとする階調であって、上述したように、第１奇数フィールド期間と第２偶数フィールド期間に同じデータ信号が供給されると仮定した。これにより、実際に前記液晶パネル５において前記第１奇数フィールド期間と第１偶数フィールド期間に同じ階調が得ることができる。
【００８０】
万一、本発明のデータ変換部１０が備えられない場合、第１偶数フィールド期間にも、第１奇数フィールド期間と同じアナログ電圧が液晶パネル５上に供給されるはずである。このような場合、前記偶数フィールド期間に前記第１奇数フィールドのアナログ電圧と同じ電圧に、第１奇数フィールド期間にまだ放電されない残留ＤＣ電圧が加算されて、結局、液晶パネル５上には、前記第１奇数フィールド期間と前記第１偶数フィールド期間に同じ階調が得られなくなる。これにより、第１偶数フィールド期間にフリッカーが発生し得る。これは、第２奇数フィールド期間と第２偶数フィールド期間、そして第３奇数フィールド期間と第３偶数フィールド期間などにも同様に適用されることができる。
【００８１】
前記液晶パネル５は、第１基板、第２基板、及び前記第１及び第２基板の間に注入された液晶層を備える。
例えば、ＴＮ（Ｔｗｉｓｔｅｄ  Ｎｅｍａｔｉｃ）モードの液晶パネルの場合、前記第１基板は、複数の水平ラインと複数の垂直ラインが垂直に交差して配列され、前記水平ラインに複数の薄膜トランジスタが接続され、前記複数の薄膜トランジスタに複数の画素電極が接続される。前記水平ライン及び垂直ラインによりピクセルが画定される。１ピクセルは、１つの薄膜トランジスタと１つの画素電極を備える。
【００８２】
前記第２基板は、前記ピクセルに対応する領域に赤色（Ｒ）、緑色（Ｇ）及び青色（Ｂ）カラーフィルタが形成され、各カラーフィルタの間にブラックマトリックスが形成され、前記カラーフィルタ及び前記ブラックマトリックス上に共通電圧を供給するための共通電極が形成される。本発明は、ＴＮモードだけでなく、他のモード（例えば、ＶＡモード、ＯＣＢモード、ＩＰＳモード等）の液晶パネルにも同様に適用されることができる。
【００８３】
このように構成された本発明の液晶表示装置の駆動動作を説明する。
まず、所定のデータ信号がデータ変換部１０に供給され、所定の同期信号（例えば、垂直同期信号（Ｖｓｙｎｃ）、水平同期信号（Ｈｓｙｎｃ））が制御信号生成部９に供給される。
【００８４】
前記制御信号生成部９は、前記同期信号を利用して第１制御信号（ＧＳＣ、ＧＳＰ、ＧＯＥ）と第２制御信号（ＳＳＣ、ＳＳＰ、ＳＯＥ）を生成する。前記第１制御信号は、前記ゲートドライバ３に供給され、前記第２制御信号は、前記データドライバ４に供給される。また、ＧＳＰ信号は、前記データ変換部１０の極性信号生成部１４に供給される。
【００８５】
前記極性信号生成部１４は、前記ＧＳＰ信号に応じて２フィールド単位でハイ電圧とロー電圧を有する２極性信号を生成して、前記データドライバ４と前記データ変換部１０のデータ可変部１２に供給する。
【００８６】
前記データ変換部１０は、前記２極性信号に応じて前記データ信号をフィールド単位で可変させる。すなわち、奇数フィールド期間と偶数フィールド期間に互いに異なる可変幅で前記データ信号が可変する。例えば、奇数フィールド期間には、前記データ信号がそのまま維持され、偶数フィールド期間には、前記データ信号が減少し得る。
このように可変したデータ信号は、前記データドライバ４に供給される。
【００８７】
一方、前記ゲートドライバ３は、前記ゲート制御信号に応答してスキャン信号を前記液晶パネル５に順次供給する。これにより、前記液晶パネル５の複数の水平ラインがアクティブになる。
【００８８】
前記データドライバ４は、前記可変データ信号をそれに相応するガンマ電圧を反映したアナログ電圧に変換して、前記液晶パネル５に供給する。
【００８９】
これにより、前記液晶パネル５には、偶数フィールド期間に奇数フィールド期間の間にまだ放電されない残留ＤＣ電圧を考慮した、本来のアナログ電圧より低いアナログ電圧が供給されることにより、偶数フィールド期間に発生するフリッカーが除去され得る。
【００９０】
従来では、奇数フィールド期間と偶数フィールド期間に全て同じ極性（＋）を有するため、奇数フィールド期間に残存する直流電圧が前記偶数フィールド期間にデータ電圧に加算されることにより、所望の階調以上が具現されるようになることで、フリッカーが発生する。
【００９１】
本発明は、このような従来のフリッカー現象を防止するために提案されたものであって、図１１に示すように、２フィールド単位で同じ極性を有する場合、データドライバ４に供給される前にデータ信号を可変させて、すなわち奇数フィールド期間には、データ信号をそのまま維持又は増加させ、奇数フィールド期間には、データ信号を減少させ、このような可変データ信号を利用して画像を表示することにより、偶数フィールド期間に所望の階調を得ることができるため、フリッカー現象を防止することができる。
【００９２】
以上の本発明は、２極性信号に限定して説明しているが、本発明は、２極性信号に限定されず、少なくとも２極性以上、すなわちｎ極性信号に拡大しても同様に適用されることができる。
【００９３】
以上、説明したように、本発明は、インターレース方式のデータ信号をそのまま液晶表示装置に適用することができる。
【００９４】
本発明は、同一極性を有する少なくとも２フィールド以上において第１フィールド期間には、データ信号をそのまま維持又は増加させ、第２フィールド期間以上（第２、第３、第４フィールド期間など）では、データ信号を減少させることによって、前のフィールドにより誘起される残留ＤＣ電圧を考慮することができるため、第２フィールド期間以上でフリッカーが発生するのを基本的に防止して、画質を向上させることができる。
【００９５】
本発明は、同一極性を有する少なくとも２フィールド以上単位で極性反転されることによって、正極性の実際の画素データとダミー画素データ、そして負極性の実際の画素データとダミー画素データが互いに相殺されて、全体的な残留ＤＣ電圧がゼロになるため、残像が発生しなくなる。
【図面の簡単な説明】
【００９６】
【図１Ａ】インターレース方式で供給された奇数フィールドの画素データを液晶パネルに表示した画面である。
【図１Ｂ】インターレース方式で供給された偶数フィールドの画素データを液晶パネルに表示した画面である。
【図２】インターレース方式で駆動される従来の液晶表示装置において、時間の経過に応じて表示された各フィールドの画素データを示す図である。
【図３】図２に示す奇数水平ライン上の１ピクセルの時間の経過に応じるデータの変化量を示す図である。
【図４】インターレース方式で駆動される従来の液晶表示装置において、時間の経過に応じて表示された各フィールドの画素データを示す図である。
【図５】図４に示す奇数水平ライン上の１ピクセルの時間の経過に応じるデータの変化量を示す図である。
【図６】図４の従来の液晶表示装置において、フリッカーの発生を説明するための図である。
【図７】本発明に係る液晶表示装置の構成を示すブロック図である。
【図８】図７のデータ変換部を詳細に示す図である。
【図９】図８の極性信号生成部に対する論理回路図を示す図である。
【図１０】図８の極性信号生成部での波形を示す図である。
【図１１】時間の経過に応じて液晶パネルに供給されたアナログ電圧を示す図である。
【符号の説明】
【００９７】
１      制御部
３      ゲートドライバ
４      データドライバ
５      液晶パネル
７      ガンマ電圧生成部
９      制御信号生成部
１０      データ変換部
１２      データ可変部
１４      極性信号生成部
１６      可変幅設定部
２１、２３      Ｄフリップフロップ
【図１Ａ】
0004795923.tif 000002
【図１Ｂ】
0004795923.tif 000003
【図２】
0004795923.tif 000004
【図３】
0004795923.tif 000005
【図４】
0004795923.tif 000006
【図５】
0004795923.tif 000007
【図６】
0004795923.tif 000008
【図７】
0004795923.tif 000009
【図８】
0004795923.tif 000010
【図９】
0004795923.tif 000011
【図１０】
0004795923.tif 000012
【図１１】
0004795923.tif 000013